(57)【要約】【課題】記録部を接続しているか否かに拘わらず同一のサブ制御部を利用する。【解決手段】ＤＶＤレコーダ１のメインマイコン１１は、ＶＣＲ記録部１９３が接続されている場合に、サブマイコン１２に対してＶＣＲ記録部１９３の設定情報を送信する第１送信部１１１を備え、サブマイコン１２は、第１送信部１１１からＶＣＲ記録部１９３の設定情報が受信されたか否かを判定する判定部１２２と、判定部１２２によってＶＣＲ記録部１９３の設定情報が受信されたと判定された場合に、ＶＣＲマイコン１９３ａに対してＶＣＲ記録部１９３の設定情報を送信する第２送信部１２３と、を備えている。【選択図】図２
2008270991.tif 000002
【特許請求の範囲】
【請求項１】
テレビジョン放送を受信し、受信した映像情報を格納する第１記録媒体を備える第１記録部を接続可能に構成された映像記録装置であって、
該映像記録装置全体の動作を制御するメイン制御部と、
該映像記録装置の電源を制御すると共に、前記第１記録部に配設され、前記第１記録媒体への読み書きを制御する制御部である媒体制御部との通信を制御するサブ制御部と、
を備え、
前記メイン制御部は、
前記第１記録部が接続されている場合に、前記サブ制御部に対して前記第１記録部の設定情報を送信する第１送信手段を備え、
前記サブ制御部は、
前記第１送信手段から前記第１記録部の設定情報が受信されたか否かを判定する判定手段と、
前記判定手段によって前記第１記録部の設定情報が受信されたと判定された場合に、前記媒体制御部に対して前記第１記録部の設定情報を送信する第２送信手段と、
を備えることを特徴とする映像記録装置。
【請求項２】
前記サブ制御部は、
前記判定手段によって前記第１記録部の設定情報が受信されたと判定された場合に、受信された設定情報に基づいて、前記媒体制御部との通信を制御する通信制御手段を生成する生成手段を備えることを特徴とする請求項１に記載の映像記録装置。
【請求項３】
前記第１送信手段は、１回目の電源投入時に前記第１記録部の設定情報を送信することを特徴とする請求項１又は請求項２に記載の映像記録装置。
【請求項４】
受信した映像情報を格納する第２記録媒体を有する第２記録部と、
受信した映像情報を格納する第３記録媒体を有する第３記録部と、
を備え、
前記メイン制御部は、前記第２記録部及び第３記録部の動作を制御することを特徴とする請求項１〜請求項３のいずれかに記載の映像記録装置。
【請求項５】
前記第１記録部は、前記第１記録媒体としてＶＣＲ（Ｖｉｄｅｏ  Ｃａｓｅｔｔｅ  Ｒｅｃｏｒｄｅｒ）を有するＶＣＲ記録部であり、
前記第２記録部は、前記第２記録媒体としてハードディスクを有するＨＤＤ（Ｈａｒｄ  Ｄｉｓｋ  Ｄｒｉｖｅ）であり、
前記第３記録部は、前記第３記録媒体としてＤＶＤ（Ｄｉｇｉｔａｌ  Ｖｅｒｓａｔｉｌｅ  Ｄｉｓｋ）を有するＤＶＤ記録部であることを特徴とする請求項４に記載の映像記録装置。
【請求項６】
前記メイン制御部、サブ制御部及び媒体制御部は、それぞれ、マイクロコンピュータからなることを特徴とする請求項１〜請求項５のいずれかに記載の映像記録装置。
【発明の詳細な説明】
【技術分野】
【０００１】
本発明は、テレビジョン放送を受信し、受信した映像情報を格納する第１記録媒体を備える第１記録部を接続可能に構成された映像記録装置に関する。特に、テレビジョン放送を受信し、受信した映像情報を格納するＨＤＤ（Ｈａｒｄ  Ｄｉｓｋ  Ｄｒｉｖｅ）及びＤＶＤ（Ｄｉｇｉｔａｌ  Ｖｅｒｓａｔｉｌｅ  Ｄｉｓｋ）記録部を備え、受信した映像情報を格納するＶＣＲ（Ｖｉｄｅｏ  Ｃａｓｅｔｔｅ  Ｒｅｃｏｒｄｅｒ）記録部を接続可能に構成されたＤＶＤレコーダに関する。
【背景技術】
【０００２】
テレビジョン放送を受信し、受信したテレビジョン放送の映像情報を記録媒体に記録し、必要に応じて接続されたテレビジョン装置で再生するＤＶＤレコーダ等の映像記録装置が普及している。また、ＤＶＤレコーダ等の映像記録装置では、該映像記録装置全体の動作を制御するメイン制御部（例えば、メインマイコン）と、該映像記録装置の電源を制御するサブ制御部（例えば、サブマイコン）と、を備えるものが知られている。
【０００３】
例えば、電力供給の制御方法を示す電源制御データを通信によりサブマイコンに伝達するメインマイコンと、メインマイコンから伝達された電源制御データに示される方法で電力供給を制御するサブマイコンと、を備えるＤＶＤレコーダが開示されている（特許文献１参照）。このＤＶＤレコーダによれば、サブマイコンによる電源制御方法を変更することができる。
【特許文献１】特開２００７−４１８５０号公報
【発明の開示】
【発明が解決しようとする課題】
【０００４】
しかしながら、上記ＤＶＤレコーダ等の従来の映像記録装置においては、サブマイコンによって制御されるＶＣＲ等の記録部を接続する（＝搭載する）場合には、接続しない（＝搭載しない）場合と比較してサブマイコンに要求される機能が相違するため、ＶＣＲ等の記録部を接続するか否か（＝搭載するか否か）に応じて異なるサブマイコンを配設する必要があった。例えば、ＨＤＤを搭載するＤＶＤレコーダに用いられるサブマイコンを、ＨＤＤ及びＶＣＲ記録部を搭載するＤＶＤレコーダのサブマイコンとして用いることはできなかった。そのために、多数の種類のサブマイコンを製造する必要があり、製造コストが増大する場合があった。
【０００５】
本発明は、上記課題に鑑みてなされたものであって、記録部を接続しているか否かに拘わらず同一のサブ制御部を利用することの可能な映像記録装置を提供することを目的としている。
【課題を解決するための手段】
【０００６】
上記目的を達成するために請求項１に記載の映像記録装置は、テレビジョン放送を受信し、受信した映像情報を格納する第１記録媒体を備える第１記録部を接続可能に構成された映像記録装置であって、該映像記録装置全体の動作を制御するメイン制御部と、該映像記録装置の電源を制御すると共に、前記第１記録部に配設され、前記第１記録媒体への読み書きを制御する制御部である媒体制御部との通信を制御するサブ制御部と、を備え、前記メイン制御部が、前記第１記録部が接続されている場合に、前記サブ制御部に対して前記第１記録部の設定情報を送信する第１送信手段を備え、前記サブ制御部が、前記第１送信手段から前記第１記録部の設定情報が受信されたか否かを判定する判定手段と、前記判定手段によって前記第１記録部の設定情報が受信されたと判定された場合に、前記媒体制御部に対して前記第１記録部の設定情報を送信する第２送信手段と、を備えることを特徴としている。
【０００７】
請求項２に記載の映像記録装置は、請求項１に記載の映像記録装置であって、前記サブ制御部が、前記判定手段によって前記第１記録部の設定情報が受信されたと判定された場合に、受信された設定情報に基づいて、前記媒体制御部との通信を制御する通信制御手段を生成する生成手段を備えることを特徴としている。
【０００８】
請求項３に記載の映像記録装置は、請求項１又は請求項２に記載の映像記録装置であって、前記第１送信手段が、１回目の電源投入時に前記第１記録部の設定情報を送信することを特徴としている。
【０００９】
請求項４に記載の映像記録装置は、請求項１〜請求項３のいずれかに記載の映像記録装置であって、受信した映像情報を格納する第２記録媒体を有する第２記録部と、受信した映像情報を格納する第３記録媒体を有する第３記録部と、を備え、前記メイン制御部が、前記第２記録部及び第３記録部の動作を制御することを特徴としている。
【００１０】
請求項５に記載の映像記録装置は、請求項４に記載の映像記録装置であって、前記第１記録部が、前記第１記録媒体としてＶＣＲ（Ｖｉｄｅｏ  Ｃａｓｅｔｔｅ  Ｒｅｃｏｒｄｅｒ）を有するＶＣＲ記録部であり、前記第２記録部が、前記第２記録媒体としてハードディスクを有するＨＤＤ（Ｈａｒｄ  Ｄｉｓｋ  Ｄｒｉｖｅ）であり、前記第３記録部が、前記第３記録媒体としてＤＶＤ（Ｄｉｇｉｔａｌ  Ｖｅｒｓａｔｉｌｅ  Ｄｉｓｋ）を有するＤＶＤ記録部であることを特徴としている。
【００１１】
請求項６に記載の映像記録装置は、請求項１〜請求項５のいずれかに記載の映像記録装置であって、前記メイン制御部、サブ制御部及び媒体制御部が、それぞれ、マイクロコンピュータからなることを特徴としている。
【発明の効果】
【００１２】
請求項１に記載の映像記録装置によれば、映像記録装置全体の動作を制御するメイン制御部において、第１記録部が接続されている場合に、サブ制御部に対して第１記録部の設定情報が送信される。そして、映像記録装置の電源を制御すると共に、第１記録部に配設され、第１記録媒体への読み書きを制御する制御部である媒体制御部との通信を制御するサブ制御部において、第１記録部の設定情報が受信されたか否かが判定され、第１記録部の設定情報が受信されたと判定された場合に、媒体制御部に対して第１記録部の設定情報が送信されるため、記録部（ここでは、第１記録部）を接続しているか否かに拘わらず同一のサブ制御部を利用することができる。
【００１３】
すなわち、第１記録部が接続されている場合に、メイン制御部からサブ制御部に対して第１記録部の設定情報が送信され、サブ制御部において、第１記録部の設定情報が受信されたと判定された場合に、媒体制御部に対して第１記録部の設定情報が送信されるため、第１記録部が接続されている場合には、媒体制御部に対して第１記録部の設定情報が送信されて、第１記録部の設定が行われ、一方、第１記録部が接続されていない場合には、媒体制御部に対して第１記録部の設定情報が送信されず、第１記録部の設定が行われないので、記録部（ここでは、第１記録部）を接続しているか否かに拘わらず同一のサブ制御部を利用することができるのである。
【００１４】
つまり、第１記録部が接続されている場合には、第１記録媒体への読み書きを制御する制御部である媒体制御部において、サブ制御部を介してメイン制御部から受信された第１記録部の設定情報に基づいて、第１記録部の設定が行われるため、第１記録部が利用可能に設定されるのである。
【００１５】
請求項２に記載の映像記録装置によれば、サブ制御部において、第１記録部の設定情報が受信されたと判定された場合に、受信された設定情報に基づいて、媒体制御部との通信を制御する通信制御手段が生成されるため、記録部（ここでは、第１記録部）を接続しているか否かに拘わらず同一のサブ制御部を利用することができる。
【００１６】
すなわち、サブ制御部において、第１記録部の設定情報が受信されたと判定された場合に、受信された設定情報に基づいて、第１記録媒体への読み書きを制御する制御部である媒体制御部との通信を制御する通信制御手段が生成されるため、サブ制御部と第１記録部との通信を制御することが可能となるので、記録部（ここでは、第１記録部）を接続しているか否かに拘わらず同一のサブ制御部を利用することができるのである。
【００１７】
また、第１記録部の設定情報が受信されたと判定された場合には、第１記録媒体への読み書きを制御する制御部である媒体制御部との通信を制御する通信制御手段が生成され、第１記録部の設定情報が受信されていないと判定された場合には、第１記録媒体への読み書きを制御する制御部である媒体制御部との通信を制御する通信制御手段が生成されないため、記録部（ここでは、第１記録部）を配設していない場合に不要な（＝無駄な）機能（ここでは、媒体制御部との通信を制御する機能）をサブ制御部に備える必要がないのである。
【００１８】
請求項３に記載の映像記録装置によれば、１回目の電源投入時に第１記録部の設定情報が送信されるため、記録部（ここでは、第１記録部）を配設している場合に、利便性良好に記録部（ここでは、第１記録部）を利用することができる。
【００１９】
すなわち、１回目の電源投入時に第１記録部の設定情報が送信されるため、映像記録装置を購入後（又は、製造完了後）の１回目の電源投入時に第１記録部が利用可能となるので、ユーザは、購入直後から第１記録部を利用することができるのである。
【００２０】
請求項４に記載の映像記録装置によれば、メイン制御部において、受信した映像情報を格納する第２記録媒体を有する第２記録部、及び、受信した映像情報を格納する第３記録媒体を有する第３記録部の動作が制御されるため、第１記録媒体に加え、第２記録媒体及び第３記録媒体に受信した映像情報を格納することができる。
【００２１】
請求項５に記載の映像記録装置によれば、第１記録部が、第１記録媒体としてＶＣＲを有するＶＣＲ記録部であり、第２記録部が、第２記録媒体としてハードディスクを有するＨＤＤであり、第３記録部が、第３記録媒体としてＤＶＤを有するＤＶＤ記録部であるため、ＶＣＲ、ハードディスク及びＤＶＤに受信した映像情報を格納することができる。
【００２２】
請求項６に記載の映像記録装置によれば、メイン制御部、サブ制御部及び媒体制御部が、それぞれ、マイクロコンピュータからなるため、簡素な構成で装置を実現することができる。
【発明を実施するための最良の形態】
【００２３】
以下に本発明の実施形態を、図面を参照しながら説明する。図１は、本発明に係るＤＶＤレコーダの構成の一例を示すブロック図である。ＤＶＤレコーダ１（＝ＨＤＤ搭載ＤＶＤレコーダ：映像記録装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。また、ＤＶＤレコーダ１は、ＶＣＲ記録部１９３を搭載可能に構成されている。なお、以下の説明においては、便宜上、マイクロコンピュータ（Ｍｉｃｒｏｃｏｍｐｕｔｅｒ）を「マイコン」という。
【００２４】
ＤＶＤレコーダ１は、リモコン３を介してユーザからの操作入力を受け付けて、受け付けた操作入力に基づいて、テレビジョン放送を受信し、受信した番組情報をＨＤＤ１９１のハードディスク、ＤＶＤ記録部１９２のＤＶＤ等に格納するものである。また、ＤＶＤレコーダ１は、ＨＤＤ１９１のハードディスク、ＤＶＤ記録部１９２のＤＶＤ等に格納された番組情報を読み出して、出力装置２に対して映像及び音声を出力するものである。
【００２５】
出力装置２は、ディスプレイ２１及びスピーカ２２を備え、ＤＶＤレコーダ１から入力された音声情報及び映像情報を出力するものである。ディスプレイ２１は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＤＶＤレコーダ１から入力された映像情報を外部から視認可能に表示するものである。スピーカ２２は、ＤＶＤレコーダ１から入力された音声情報を出力するものである。
【００２６】
リモコン３は、ユーザからの操作入力を受け付けて、受け付けられた操作入力に対応する赤外線信号を生成して、ＤＶＤレコーダ１に対して出力するものである。
【００２７】
また、ＤＶＤレコーダ１は、メインマイコン１１、サブマイコン１２、ＲＡＭ１３１、ＲＯＭ１３２、操作部１４、受信部１５、音声出力部１６、ＭＰＥＧ２デコード部１７、画像出力部１８、及び、記録部１９を備えている。更に、記録部１９は、ＨＤＤ１９１、及び、ＤＶＤ記録部１９２を備え、ＶＣＲ記録部１９３を搭載可能に構成されている。
【００２８】
メインマイコン１１（メイン制御部に相当する）は、ＤＶＤレコーダ１全体の動作を制御するものである。サブマイコン１２（サブ制御部に相当する）は、ＤＶＤレコーダ１の電源を制御すると共に、ＶＣＲ記録部１９３に配設され、ＶＣＲ記録部１９３への読み書きを制御するＶＣＲマイコン１９３ａ（図２参照）との通信を制御するものである。ＲＡＭ（Ｒａｎｄｏｍ  Ａｃｃｅｓｓ  Ｍｅｍｏｒｙ）１３１は、音声情報、映像情報等の情報を読み書き自在に格納するものである。ＲＯＭ（Ｒｅａｄ  Ｏｎｌｙ  Ｍｅｍｏｒｙ）１３２は、メインマイコン１１を動作させる制御プログラム等を格納するものである。
【００２９】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３０】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３１】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００３２】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３３】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００３４】
ＨＤＤ１９１（第２記録部に相当する）は、ハードディスク（第２記録媒体に相当する）を備え、メインマイコン１１からの指示に従って映像情報、音声情報等の種々の情報をハードディスクに格納すると共に、ハードディスクに格納された映像情報、音声情報等の種々の情報を読み出すものである。ＤＶＤ記録部１９２（第３記録部に相当する）は、ＤＶＤ（第３記録媒体に相当する）を載置可能に構成され、載置されたＤＶＤに、メインマイコン１１からの指示に従って映像情報、音声情報等の種々の情報を記録する（＝書き込む）と共に、ＤＶＤに格納された映像情報、音声情報等の種々の情報を読み出すものである。
【００３５】
ＶＣＲ記録部１９３（第１記録部に相当する）は、ＶＣＲマイコン１９３ａ（図２参照）を備え、ＶＣ（Ｖｉｄｅｏ  Ｃａｓｅｔｔｅ：第１記録媒体に相当する）を挿入可能に構成され、挿入されたＶＣに、サブマイコン１２からの指示に従って映像情報、音声情報等の種々の情報を記録する（＝書き込む）と共に、ＶＣに格納された映像情報、音声情報等の種々の情報を読み出すものである。また、ＶＣＲ記録部１９３は、サブマイコン１２に接続可能に構成されている。ＶＣＲマイコン１９３ａ（媒体制御部に相当する）は、ＶＣＲ記録部１９３全体の動作を制御するものである。
【００３６】
次に、ＤＶＤレコーダ１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３７】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１３１に格納される。そして、ＲＡＭ１３１から読み出された音声情報がＤ／Ａ変換部１６１によってアナログ信号に変換され、音声信号出力部１６２を介してスピーカ２２から音声が出力される。
【００３８】
また、ＲＡＭ１３１から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００３９】
図２は、本発明に係るＤＶＤレコーダ１における主要部の機能構成の一例を示す構成図である。メインマイコン１１は、機能的に、第１送信部１１１を備え、ＲＡＭ１３１は、機能的に、設定値記憶部１３１ａを備えている。また、サブマイコン１２は、機能的に、電源制御部１２１、判定部１２２、第２送信部１２３、及び、生成部１２４を備えている。
【００４０】
ここでは、メインマイコン１１が、図１に示すＲＯＭ１３２等に予め格納された制御プログラムを読み出して実行することにより、第１送信部１１１等の機能部として機能すると共に、ＲＡＭ１３１を、設定値記憶部１３１ａ等の機能部として機能させ、サブマイコン１２を、電源制御部１２１、判定部１２２、第２送信部１２３、生成部１２４等の機能部として機能させるものである。
【００４１】
また、図１に示すＲＡＭ１３１、ＲＯＭ１３２に格納された各種データのうち装着脱可能な記録媒体に格納され得るデータは、例えばＨＤＤ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ、半導体メモリ等である。
【００４２】
設定値記憶部１３１ａは、ＶＣＲ記録部１９３が接続（＝搭載）されている場合に、ＶＣＲ記録部１９３の設定情報を予め格納するものである。また、設定値記憶部１３１ａに格納されたＶＣＲ記録部１９３の設定情報は、第１送信部１１１によって読み出されるものである。
【００４３】
第１送信部１１１（第１送信手段に相当する）は、電源制御部１２１から１回目の電源投入時である旨の情報が受け付けられた場合に、ＶＣＲ記録部１９３が接続されているか否かを判定すると共に、ＶＣＲ記録部１９３が接続されていると判定された場合に、設定値記憶部１３１ａに格納されたＶＣＲ記録部１９３の設定情報を読み出して、サブマイコン１２に対してＶＣＲ記録部１９３の設定情報を送信するものである。ここでは、例えば、第１送信部１１１は、設定値記憶部１３１ａにＶＣＲ記録部１９３の設定情報が格納されているか否かに基づき、ＶＣＲ記録部１９３が接続されているか否かを判定するものである。
【００４４】
電源制御部１２１は、ＤＶＤレコーダ１全体の電源を制御するものであって、１回目の電源投入時であるか否かを判定して、１回目の電源投入時であると判定された場合に、第１送信部１１１に対して、１回目の電源投入時である旨の情報を送信するものである。
【００４５】
判定部１２２（判定手段に相当する）は、第１送信部１１１からＶＣＲ記録部１９３の設定情報が受信されたか否かを判定するものである。
【００４６】
第２送信部１２３（第２送信手段に相当する）は、判定部１２２によってＶＣＲ記録部１９３の設定情報が受信されたと判定された場合に、ＶＣＲ記録部１９３に配設されたＶＣＲマイコン１９３ａに対してＶＣＲ記録部１９３の設定情報を送信するものである。
【００４７】
生成部１２４（生成手段に相当する）は、判定部１２２によってＶＣＲ記録部１９３の設定情報が受信されたと判定された場合に、受信された設定情報に基づいて、ＶＣＲ記録部１９３に配設されたＶＣＲマイコン１９３ａとの通信を制御する通信制御部１２５を生成するものである。
【００４８】
通信制御部１２５（通信制御手段に相当する）は、ＶＣＲ記録部１９３に配設されたＶＣＲマイコン１９３ａとの通信を制御するものである。ただし、通信制御部１２５は、判定部１２２によってＶＣＲ記録部１９３の設定情報が受信されたと判定された場合に、生成部１２４によって生成されるものであるため、判定部１２２によってＶＣＲ記録部１９３の設定情報が受信されていないと判定された場合には、生成されないものである。
【００４９】
ＶＣＲマイコン１９３ａは、第２送信部１２３からＶＣＲ記録部１９３の設定情報を受信して、受信された設定情報に基づき、ＶＣＲ記録部１９３全体の初期設定を行うものである。
【００５０】
図３は、本発明に係るＤＶＤレコーダ１（主にサブマイコン１２）の動作の一例を示すフローチャートである。まず、電源制御部１２１によって、１回目の電源投入時であるか否かの判定が行われる（Ｓ１０１）。１回目の電源投入時ではないと判定された場合（Ｓ１０１でＮＯ）には、処理が待機状態とされる。１回目の電源投入時であると判定された場合（Ｓ１０１でＹＥＳ）には、電源制御部１２１によってメインマイコン１１の電源が投入される（Ｓ１０３）。そして、判定部１２２によって、メインマイコン１１（第１送信部１１１）からＶＣＲ記録部１９３の設定情報が受信される（Ｓ１０５）。
【００５１】
そして、判定部１２２によって、ＶＣＲ記録部１９３の設定情報が受信されたか否かの判定が行われる（Ｓ１０７）。ＶＣＲ記録部１９３の設定情報が受信されていないと判定された場合（Ｓ１０７でＮＯ）には、処理が終了される。ＶＣＲ記録部１９３の設定情報が受信されたと判定された場合（Ｓ１０７でＹＥＳ）には、第２送信部１２３によって、ＶＣＲ記録部１９３に配設されたＶＣＲマイコン１９３ａに対してＶＣＲ記録部１９３の設定情報が送信される（Ｓ１０９）。そして、生成部１２４によって、ＶＣＲマイコン１９３ａとの通信を制御する通信制御部１２５が生成され（Ｓ１１１）、処理が終了される。
【００５２】
図４は、ＶＣＲ記録部１９３が搭載されている場合のメインマイコン１１、サブマイコン１２及びＶＣＲマイコン１９３ａ間の通信の状態を示すブロック図である。メインマイコン１１とサブマイコン１２との間は、ここでは、全２重非同期シリアル通信で各種情報の通信が行われる。そして、メインマイコン１１からサブマイコン１２に対して種々の指令情報（＝ＳＵＢ−ＲＸＤ）が送信され、サブマイコン１２からメインマイコン１１に対して種々の状態情報（＝ＳＵＢ−ＴＸＤ）が送信される。すなわち、メインマイコン１１は、指令情報（＝ＳＵＢ−ＲＸＤ）及び状態情報（＝ＳＵＢ−ＴＸＤ）を介してサブマイコン１２の動作を制御する。
【００５３】
また、サブマイコン１２とＶＣＲマイコン１９３ａとの間は、ここでは、同期式シリアル通信で各種情報の通信が行われる。そして、サブマイコン１２からＶＣＲマイコン１９３ａに対して、種々の指令情報（＝ＴＣＲ−ＲＸＤ）が送信され、ＶＣＲマイコン１９３ａからサブマイコン１２に対して種々の状態情報（＝ＴＣＲ−ＴＸＤ）が送信される。すなわち、サブマイコン１２は、指令情報（＝ＴＣＲ−ＲＸＤ）及び状態情報（＝ＴＣＲ−ＴＸＤ）を介してＶＣＲマイコン１９３ａを制御する。
【００５４】
このようにして、ＤＶＤレコーダ１全体の動作を制御するメインマイコン１１において、ＶＣＲ記録部１９３が接続されている場合に、サブマイコン１２に対してＶＣＲ記録部１９３の設定情報が送信される。そして、ＤＶＤレコーダ１の電源を制御すると共に、ＶＣＲ記録部１９３に配設され、ＶＣへの読み書きを制御する制御部であるＶＣＲマイコン１９３ａとの通信を制御するサブマイコン１２において、ＶＣＲ記録部１９３の設定情報が受信されたか否かが判定され、ＶＣＲ記録部１９３の設定情報が受信されたと判定された場合に、ＶＣＲマイコン１９３ａに対してＶＣＲ記録部１９３の設定情報が送信されるため、記録部（ここでは、ＶＣＲ記録部１９３）を接続しているか否かに拘わらず同一のサブマイコン１２を利用することができる。
【００５５】
すなわち、ＶＣＲ記録部１９３が接続されている場合に、メインマイコン１１からサブマイコン１２に対してＶＣＲ記録部１９３の設定情報が送信され、サブマイコン１２において、ＶＣＲ記録部１９３の設定情報が受信されたと判定された場合に、ＶＣＲマイコン１９３ａに対してＶＣＲ記録部１９３の設定情報が送信されるため、ＶＣＲ記録部１９３が接続されている場合には、ＶＣＲマイコン１９３ａに対してＶＣＲ記録部１９３の設定情報が送信されて、ＶＣＲ記録部１９３の設定が行われ、一方、ＶＣＲ記録部１９３が接続されていない場合には、ＶＣＲマイコン１９３ａに対してＶＣＲ記録部１９３の設定情報が送信されず、ＶＣＲ記録部１９３の設定が行われないので、記録部（ここでは、ＶＣＲ記録部１９３）を接続しているか否かに拘わらず同一のサブマイコン１２を利用することができるのである。
【００５６】
つまり、ＶＣＲ記録部１９３が接続されている場合には、ＶＣへの読み書きを制御する制御部であるＶＣＲマイコン１９３ａにおいて、サブマイコン１２を介してメインマイコン１１から受信されたＶＣＲ記録部１９３の設定情報に基づいて、ＶＣＲ記録部１９３の設定が行われるため、ＶＣＲ記録部１９３が利用可能に設定されるのである。
【００５７】
また、サブマイコン１２において、ＶＣＲ記録部１９３の設定情報が受信されたと判定された場合に、受信された設定情報に基づいて、ＶＣＲマイコン１９３ａとの通信を制御する通信制御部１２５が生成されるため、記録部（ここでは、ＶＣＲ記録部１９３）を接続しているか否かに拘わらず同一のサブマイコン１２を利用することができる。
【００５８】
すなわち、サブマイコン１２において、ＶＣＲ記録部１９３の設定情報が受信されたと判定された場合に、受信された設定情報に基づいて、ＶＣへの読み書きを制御する制御部であるＶＣＲマイコン１９３ａとの通信を制御する通信制御部１２５が生成されるため、サブマイコン１２とＶＣＲ記録部１９３との通信を制御することが可能となるので、記録部（ここでは、ＶＣＲ記録部１９３）を接続しているか否かに拘わらず同一のサブマイコン１２を利用することができるのである。
【００５９】
また、ＶＣＲ記録部１９３の設定情報が受信されたと判定された場合には、ＶＣへの読み書きを制御する制御部であるＶＣＲマイコン１９３ａとの通信を制御する通信制御部１２５が生成され、ＶＣＲ記録部１９３の設定情報が受信されていないと判定された場合には、ＶＣへの読み書きを制御する制御部であるＶＣＲマイコン１９３ａとの通信を制御する通信制御部１２５が生成されないため、記録部（ここでは、ＶＣＲ記録部１９３）を配設していない場合に不要な（＝無駄な）機能（ここでは、ＶＣＲ記録部１９３との通信を制御する機能）をサブマイコン１２に備える必要がないのである。
【００６０】
更に、１回目の電源投入時にＶＣＲ記録部１９３の設定情報が送信されるため、記録部（ここでは、ＶＣＲ記録部１９３）を配設している場合に、利便性良好に記録部（ここでは、ＶＣＲ記録部１９３）を利用することができる。
【００６１】
すなわち、１回目の電源投入時にＶＣＲ記録部１９３の設定情報が送信されるため、ＤＶＤレコーダ１を購入後（又は、製造完了後）の１回目の電源投入時にＶＣＲ記録部１９３が利用可能となるので、ユーザは、購入直後からＶＣＲ記録部１９３を利用することができるのである。
【００６２】
加えて、メインマイコン１１において、受信した映像情報を格納するハードディスクを有するＨＤＤ１９１、及び、受信した映像情報を格納するＤＶＤを有するＤＶＤ記録部１９２の動作が制御されるため、ＶＣに加え、ハードディスク及びＤＶＤに受信した映像情報を格納することができる。
【００６３】
なお、本発明は、以下の形態にも適用可能である。
（Ａ）本実施形態では、映像記録装置が、ＤＶＤレコーダ１である場合について説明したが、映像記録装置が、テレビジョン放送を受信し、受信した映像情報を格納する第１記録媒体を備える第１記録部を接続可能に構成された装置であればよい。例えば、映像記録装置が、ＨＤＤを搭載したＶＣＲ（Ｖｉｄｅｏ  Ｃａｓｅｔｔｅ  Ｒｅｃｏｒｄｅｒ）である形態でもよい。
【００６４】
（Ｂ）本実施形態では、ＤＶＤレコーダ１のサブマイコン１２にＶＣＲ記録部１９３が接続可能に構成されている場合について説明したが、サブマイコン１２に他の種類の記録部（例えば、ＤＶＤ記録部、ＨＤＤ等）が接続可能に構成されている形態でもよい。また、サブマイコン１２に複数の記録部（例えば、ＤＶＤ記録部、ＨＤＤ等）が接続可能に構成されている形態でもよい。
【００６５】
（Ｃ）本実施形態では、ＤＶＤレコーダ１がＨＤＤ１９１及びＤＶＤ記録部１９２を備える場合について説明したが、少なくとも１の記録部を備える形態であればよい。例えば、ＤＶＤレコーダ１が１個の記録部（例えば、ＤＶＤ記録部）を備える形態でもよいし、３個以上の記録部（例えば、ＤＶＤ記録部、ＨＤＤ、ＶＣＲ記録部等）を備える形態でもよい。
【図面の簡単な説明】
【００６６】
【図１】は、本発明に係るＤＶＤレコーダの構成の一例を示すブロック図である。
【図２】は、本発明に係るＤＶＤレコーダにおける主要部の機能構成の一例を示す構成図である。
【図３】は、本発明に係るＤＶＤレコーダ（主にサブマイコン）の動作の一例を示すフローチャートである。
【図４】は、ＶＣＲ記録部が搭載されている場合のメインマイコン、サブマイコン及びＶＣＲマイコン間の通信の状態を示すブロック図である。
【符号の説明】
【００６７】
１    ＤＶＤレコーダ（映像記録装置）
１１    メインマイコン（メイン制御部）
１１１    第１送信部（第１送信手段）
１２    サブマイコン（サブ制御部）
１２１    電源制御部
１２２    判定部（判定手段）
１２３    第２送信部（第２送信手段）
１２４    生成部（生成手段）
１２５    通信制御部（通信制御手段）
１３１    ＲＡＭ
１３１ａ    設定値記憶部
１３２    ＲＯＭ
１５    受信部
１９１    ＨＤＤ（第２記録部）
１９２    ＤＶＤ記録部（第３記録部）
１９３    ＶＣＲ記録部（第１記録部）
１９３ａ    ＶＣＲマイコン（媒体制御部）
２    出力装置
２１    ディスプレイ
３    リモコン
【図１】
2008270991.tif 000003
【図２】
2008270991.tif 000004
【図３】
2008270991.tif 000005
【図４】
2008270991.tif 000006